(57)【特許請求の範囲】
【請求項１】
ピアノ本体と、前記ピアノ本体を支持する複数の脚と、前記ピアノ本体から下方へ延びるペダルユニットと、を備え、
前記ピアノ本体は、
当該ピアノ本体の下面部を構成する棚板と、
前記棚板の前側左右両端付近に対向配置され、当該ピアノ本体の両側面部を構成する左右一対の側板と、
前記左右一対の側板の間に配置され、当該ピアノ本体の前面部を構成する口棒と、
前記左右一対の側板の間であって前記口棒の後方に配置された鍵盤と、
前記口棒および前記左右一対の側板とともに前記棚板の周囲を囲み、当該ピアノ本体の背面部を構成するフレームと、
前記左右一対の側板および前記フレームの内壁面に取り付けられ、当該ピアノ本体の上面部を構成するとともに前記棚板の上方を塞ぐ響板と、
前記フレームに蝶番を介して回動可能に取り付けられ、前記蝶番を中心として前記響板の上方を開放する開放位置と前記響板の上方を覆う閉鎖位置との間で回動可能な大屋根と、を有し、
さらに、電子音源部および電源部が前記ピアノ本体の内部に配置されるとともに一つ以上のスピーカが前記響板に取り付けられた構成を有するグランド型電子ピアノにおいて、
前記ピアノ本体は、さらに、前記鍵盤と前記響板との間に配置され、前記響板とともに前記棚板の上方を塞ぐ上面部を備え、
前記上面部には、発熱部としての前記電子音源部および前記電源部によって発せられた熱を前記ピアノ本体外へ放出するための開口部が設けられ、前記棚板にも開口部が形成されていること
を特徴とするグランド型電子ピアノ。
【請求項２】
請求項１に記載のグランド型電子ピアノにおいて、
さらに、筒状に形成され、一方の開口が前記発熱部の上部を内包するよう配置されるとともに他方の開口が前記上面部に設けられた前記開口部に近接するよう配置されることで前記発熱部と前記上面部に設けられた開口部とを連通させるダクトを有することを特徴とするグランド型電子ピアノ。
【請求項３】
請求項１に記載のグランド型電子ピアノにおいて、
前記発熱部は、前記上面部に設けられた開口部の略鉛直方向に配置され、且つ前記発熱部によって発せられた熱により上昇した空気が前記上面部に設けられた開口部へ遮られずに上昇する位置に設けられていることを特徴とするグランド型電子ピアノ。
【請求項４】
請求項１〜請求項３のいずれかに記載のグランド型電子ピアノにおいて、
前記ピアノ本体の前記上面部は、
前記鍵盤の後方に配置され、下端が前記鍵盤に近く、上端が前記鍵盤から遠くなるように傾斜する板状の上前板と、
前記上前板と前記響板との間に配置され、前記上前板および前記響板とともに前記棚板の上方を覆う上板と、を有し、
前記ピアノ本体は、さらに、前記上前板に蝶番を介して回動可能に取り付けられ、前記蝶番を中心として前記鍵盤を開放する位置と閉鎖する位置との間で回動することによって、ピアノ本体内へ収容されずに前記鍵盤を開放、閉鎖可能な鍵盤蓋を有し、
前記開口部は前記上面部の前記上板に形成されていることを特徴とするグランド型電子ピアノ。
【発明の詳細な説明】
【技術分野】
【０００１】
本発明はグランド型電子ピアノの本体内からの放熱に関するものであり、特に大屋根を閉じた状態で本体内の発熱部から放熱するための技術に関する。
【背景技術】
【０００２】
従来より、電子音源部と、この電子音源部などに電力を供給する電源部（以下、電子音源部等とも称する）とを内蔵したアップライト型やグランド型の電子ピアノが知られている。
【０００３】
アップライト型電子ピアノには、屋根板もしくは上前板を開放して楽器本体内で発音したピアノ演奏音を楽器の上方もしくは前方に逃がし、これによって演奏音の増大化を図っている。ところが、屋根板もしくは上前板はピアノ演奏音を積極的に増大させる場合に利用されるもので、通常一般家庭等においては騒音公害となるため開けて演奏することが少なく、電子音源部等の発熱によってピアノ本体内の温度が上昇する。そこで、アップライト型電子ピアノにおいては、ピアノ本体の内部後方にピアノ本体の内外を連通させる複数の放熱孔を設けたものがある（例えば特許文献１参照）。
【０００４】
また、グランド型電子ピアノでは、大屋根が所定の開放角度で開放した状態に保たれ、ピアノ本体内で発音したピアノ演奏音を反射して、これによって演奏音の増大化を図っている。グランド型電子ピアノにおいても、大屋根は通常一般家庭等においては騒音公害となるため開けて演奏することが少なく、電子音源部等の発熱によってピアノ本体内の温度が上昇するが、美観上から楽器本体の後方であっても側板に放熱孔は設けられない。
【特許文献１】実公平６−６４００号公報（第２頁）
【発明の開示】
【発明が解決しようとする課題】
【０００５】
しかし、近年、グランド型電子ピアノにおいてピアノ演奏音の高品質化が求められている。このピアノ演奏音の高品質化にともなって、電子音源部のメモリが大容量化（ギガレベル）し、その処理速度も高速化しているため、消費電力が大きく増加している。このような消費電力の大きな電子音源部を備えたグランド型電子ピアノが大屋根を閉じた状態で演奏されると、電子音源部等の発熱によってピアノ本体内の温度が上昇し、電子音源部等の電子回路に不具合が生じる可能性がある。
【０００６】
そこで、一般の電子機器、例えばパソコンのように強制冷却ファンを設置して、電子音源部等を冷却することも考えられるが、強制冷却ファンのモータは騒音を発生する。騒音が発生すると楽器として本来の機能を満たさなくなる。したがって、グランド型電子ピアノには例えば強制冷却ファンを設置することができない。
【０００７】
本発明は、上記問題を解決するためになされたものであり、その目的とするところは、騒音の発生がなく、大屋根を閉じた状態で演奏されても電子音源部等の発熱によるピアノ本体内の温度上昇が抑えられ、電子音源部等の電子回路に不具合が生じないグランド型電子ピアノを提供することである。
【課題を解決するための手段】
【０００８】
上述した問題点を解決するためになされた本発明のグランド型電子ピアノ（１：なお、この欄においては、発明に対する理解を容易にするため、必要に応じて「発明を実施するための最良の形態」欄において説明した構成要素を括弧内に示すが、この記載によって特許請求の範囲を限定することを意味するものではない。）は、ピアノ本体（２）と、前記ピアノ本体（２）を支持する複数の脚（６）と、前記ピアノ本体（２）から下方へ延びるペダルユニット（８）と、を備え、前記ピアノ本体（２）は、当該ピアノ本体（２）の下面部を構成する棚板（２１）と、前記棚板（２１）の前側左右両端付近に対向配置され、当該ピアノ本体（２）の両側面部を構成する左右一対の側板（２３，２３）と、前記左右一対の側板（２３，２３）の間に配置され、当該ピアノ本体（２）の前面部を構成する口棒（３５）と、前記左右一対の側板（２３，２３）の間であって前記口棒（３５）の後方に配置された鍵盤（３９）と、前記口棒（３５）および前記左右一対の側板（２３，２３）とともに前記棚板（２１）の周囲を囲み、当該ピアノ本体（２）の背面部を構成するフレーム（２５）と、前記左右一対の側板（２３，２３）および前記フレーム（２５）の内壁面に取り付けられ、当該ピアノ本体（２）の上面部を構成するとともに前記棚板（２１）の上方を塞ぐ響板（４５）と、前記フレーム（２５）に蝶番を介して回動可能に取り付けられ、前記蝶番を中心として前記響板（４５）の上方を開放する開放位置と前記響板（４５）の上方を覆う閉鎖位置との間で回動可能な大屋根（３１）と、を有し、さらに、電子音源部（４９）および電源部（５１）が前記ピアノ本体（２）の内部に配置されるとともに一つ以上のスピーカ（４７）が前記響板（４５）に取り付けられた構成を有するグランド型電子ピアノ（２）において、前記ピアノ本体（２）は、さらに、前記鍵盤（３９）と前記響板（４５）との間に配置され、前記響板（４５）とともに前記棚板（２１）の上方を塞ぐ上面部（２７，２９）を備え、前記上面部（２７，２９）には、発熱部としての前記電子音源部（４９）および前記電源部（５１）によって発せられた熱を前記ピアノ本体（２）外へ放出するための開口部（２９ａ）が設けられ、前記棚板（２１）にも開口部（２１ａ，２１ｂ）が形成されていることを特徴とする。
【０００９】
上述のように、本発明のグランド型電子ピアノは、開口部がピアノ本体の大屋根以外の上面部と棚板とに設けられているので、大屋根を閉じた状態で演奏されても発熱部例えば電子音源部等（４９，５１）の発熱によるピアノ本体内の温度上昇が抑えられ、電子音源部等の電子回路に不具合が生じない。また、発熱部例えば電子音源部等によって発せられた熱を開口部からピアノ本体外へ放出するので、騒音の発生がない。単に開口部を設けているだけであり、例えば騒音を発生するモータを有する強制冷却ファンを設置しているわけではないからである。
【００１０】
そして、発熱部例えば電子音源部等によって発せられた熱をピアノ本体外へ放出するための開口部として、例えばピアノ本体の内外を連通させる通気孔（２９ａ、２１ａ，２１ｂ）が大屋根より鍵盤側の上面部と棚板とに設けられる。すると、棚板の通気孔（２１ａ，２１ｂ）から流入した空気が発熱部例えば電子音源部等によって発せられた熱を前記上面部の通気孔（２９ａ）からピアノ本体外へ放出できる。いわゆる、自然空冷によって、発熱部例えば電子音源部等によって発せられた熱が放出される。
【００１１】
上面部に設けられた開口部というのは寸法や数は限定されないが、例えば虫等の侵入を防止するためや、金属棒などの挿入により感電を防ぐためには次のような工夫をするとよい。すなわち、開口部として、例えばピアノ本体の内外を連通させ、虫や金属棒等が侵入できないような孔径寸法の通気孔が放熱効率を落とさないように多数設けられるとよい。いわゆる「パンチングメタル」のような構成とするのが好ましい。
【００１２】
また、請求項２に記載のように、請求項１に記載のグランド型電子ピアノにおいて、さらに、筒状に形成され、一方の開口が前記発熱部の上部を内包するよう配置されるとともに他方の開口が前記上面部に設けられた前記開口部に近接するよう配置されることで前記発熱部と前記上面部に設けられた開口部とを連通させるダクト（６０）を有するとよい。
【００１３】
このように構成されたグランド型電子ピアノによれば、さらに発熱部と上面部に設けられた開口部とを連通させるダクトも有しているので、発熱部例えば電子音源部等から上面部に設けられた開口部との風道に障害物がある場合にも、発熱部例えば電子音源部等によって発せられた熱をピアノ本体外へ放出できる。すなわち、この障害物を回避してピアノ本体内にダクトを設置すれば、発熱部例えば電子音源部等によって発せられた熱をピアノ本体外へ効率よく放出できる。また、発熱部例えば電子音源部等によって発せられた熱が拡散されないので、ピアノ本体内の他の内蔵物例えば響板やスピーカなどに対して熱による不具合を少なくできる。
【００１４】
また、請求項１に記載のグランド型電子ピアノにおいて、発熱部は、請求項３に記載のように、上面部に設けられた開口部の略鉛直方向に配置され、且つ発熱部によって発せられた熱により上昇した空気が上面部に設けられた開口部へ遮られずに上昇する位置に設けられているとよい。
【００１５】
このように構成されたグランド型電子ピアノによれば、発熱部は、上面部に設けられた開口部の略鉛直方向に配置され、且つ発熱部によって発せられた熱により上昇した空気が上面部に設けられた開口部へ遮られずに上昇する位置に設けられているので、ピアノ本体内の空気を効率よく放出できる。すなわち、発熱部例えば電子音源部等によって発せられた熱により温度上昇したピアノ本体内の空気が膨張により密度が小さくなって略鉛直方向の上方にある上面部に設けられた開口部へ上昇し、ピアノ本体内の空気を効率よく放出できる。
【００１６】
また、グランド型電子ピアノの鍵盤蓋は、請求項４に記載のように、鍵盤を開放する位置と閉鎖する位置との間で回動するとよい。
すなわち、請求項１〜請求項３のいずれかに記載のグランド型電子ピアノにおいて、前記ピアノ本体の前記上面部は、前記鍵盤の後方に配置され、下端が前記鍵盤に近く、上端が前記鍵盤から遠くなるように傾斜する板状の上前板（２７）と、前記上前板と前記響板との間に配置され、前記上前板および前記響板とともに前記棚板の上方を覆う上板（２９）と、を有し、前記ピアノ本体は、さらに、前記上前板に蝶番を介して回動可能に取り付けられ、前記蝶番を中心として前記鍵盤を開放する位置と閉鎖する位置との間で回動することによって、ピアノ本体内へ収容されずに前記鍵盤を開放、閉鎖可能な鍵盤蓋（３７）を有し、前記開口部は前記上面部の前記上板に形成されているとよい。
【００１７】
このように構成されたグランド型電子ピアノによれば、鍵盤蓋は、鍵盤を開放する位置と閉鎖する位置との間で回動することによって、ピアノ本体内へ収容されないので、ピアノ演奏するときに鍵盤蓋がピアノ本体内に入り込み発熱部例えば電子音源部等から上面部に設けられた開口部との風道の障害物となることがない。したがって、大屋根を閉じた状態で演奏されても発熱部例えば電子音源部等の発熱によるピアノ本体内の温度上昇が抑えられ、電子音源部等の電子回路に不具合が生ずることがない。
【００１８】
なお、ピアノ演奏するときに鍵盤蓋がピアノ本体内に入り込むような例えばスライド式の鍵盤蓋の場合には、発熱部例えば電子音源部等から上面部の開口部との風道の障害物となることがあり得る。すなわち、上面部に設けられた開口部は大屋根以外の上面部であることから、例えば大屋根より鍵盤側の上面部に設けられる。なぜなら、大屋根は美観上から開口部を設ける可能性が少ないためである。したがって、鍵盤蓋がピアノ本体内に入り込むような例えばスライド式の鍵盤蓋の場合には、ピアノ演奏するときに鍵盤蓋がピアノ本体内に入り込み発熱部例えば電子音源部等から上面部に設けられた開口部との風道の障害物となる可能性が高いためである。
【発明を実施するための最良の形態】
【００１９】
以下、本発明が適用された実施形態について図面を用いて説明する。
［構成の説明］
図１は、本実施形態のグランド型電子ピアノ１において大屋根３１と鍵盤蓋３７とが開放されている状態を示す斜視図である。図２は、図１のグランド型電子ピアノ１において大屋根３１が閉鎖され、鍵盤蓋３７が開放されている状態を示す斜視図である。図３は、図１のグランド型電子ピアノ１において大屋根３１と鍵盤蓋３７とが閉鎖されている状態を示す斜視図である。図４は、図１のグランド型電子ピアノ１において大屋根３１が閉鎖され、鍵盤蓋３７が開放されている状態を示す部分破断側面図である。なお、以下の説明においては、グランド型電子ピアノ１を演奏者から見た場合の手前側（図４の左側）を「前」、奥側（図４の右側）を「後」とし、さらに多数の鍵４１（図１に一部のみ図示）の並び方向を「左右方向」として説明する。
【００２０】
図１に示す本実施形態のグランド型電子ピアノ１は、ピアノ本体２、ピアノ本体２を支持する３本の脚６（左右一対の脚部のみ図示し、後方の脚部は図示せず）、ピアノ本体２から下方へ延びるペダルユニット８、などを備えている。以下、ピアノ本体２を詳細に説明する。
【００２１】
ピアノ本体２は、その下面部を構成する棚板２１、左右一対の側板２３、フレーム２５、上前板２７、上板２９、上板支持部材３０、大屋根３１、突き上げ棒３３、口棒３５、鍵盤蓋３７を備えている。また、ピアノ本体２は、鍵盤３９、左右一対の拍子木４３を備えている。鍵盤３９は、多数の鍵４１（一部のみ図示）と、それらの鍵４１の下方または後方にそれぞれ鍵スイッチ（図示せず）を有している。さらに、ピアノ本体２は、響板４５、響板４５に取り付けられた３個のスピーカ４７、前記棚板２１に取り付けられた電子音源部４９、電源部５１、などを備えている。電源部５１は、電子音源部４９などに電力を供給する。上前板２７は下端が鍵盤３９に近く、上端が鍵盤３９から遠くなるように傾斜している。
【００２２】
鍵盤蓋３７は、蓋体３７ａと、蓋体３７ａの内面（鍵盤蓋３７の開放時は上面となる）に配置された操作パネル３７ｂとを有している。蓋体３７ａは、Ｌ字状の断面形状を有している。鍵盤蓋３７は、蓋体３７ａの平板部の一端（鍵盤蓋３７の開放時は下端となる）が、上前板２７の一端（鍵盤蓋３７の開放時は下端となる）に蝶番５３（図４参照）を介して回動可能に取り付けられており、蝶番５３を中心として、図１に示す開放位置と、図３に示す閉鎖位置との間で回動することにより、開閉される。
【００２３】
操作パネル３７ｂは、楽音のトーンやボリュームなどを調整する多数のスイッチ群や電子回路が形成されたプリント基板など（いずれも図示せず）を有する。
上板２９は、図３に例示するように、複数の通気孔２９ａを有する例えばパンチングメタルなどで構成され、左側の側板２３（図示せず）から右側の側板２３の間を塞ぐように形成されている。また、上板２９は、図４に例示するように、略コの字状の断面形状を有し、上前板２７と大屋根３１との間を塞ぐように形成され上前板２７と上板支持部材３０とに固定されている。
【００２４】
電子音源部４９は、略直方体の形状を有し、図４に例示するように、その一部が棚板２１に設けられた挿通孔２１ａを挿通しピアノ本体２の外部（下方）へ突き出した状態で取付部材（図示せず）によって棚板２１へ取り付けられている。電源部５１は、略直方体の形状を有し、図１に例示するように、棚板２１の上面へ取付部材（図示せず）によって取り付けられており、電源部５１の下方に位置する棚板２１には通気孔２１ｂが設けられている。また、図１に例示するように、電子音源部４９と電源部５１との上方に位置する響板４５には通気孔４５ａが設けられている。
【００２５】
［作動の説明］
次に、本実施形態のグランド型電子ピアノ１の作動を説明する。
演奏者がグランド型電子ピアノ１を演奏する場合には、図１及び図２に例示するように、鍵盤蓋３７を開放位置へ回動する。この開放位置では、鍵盤蓋３７は蝶番５３（図４参照）を介して時計方向に回動されて鍵盤３９を開放し、蓋体３７ａの外面が上前板２７の前面に近接し、傾斜状態に保持されている。この鍵盤蓋３７の開放位置において、演奏者が所定の鍵４１を打鍵すると、その押鍵情報を検出する。そして、検出された押鍵情報に応じて電子音源部４９が演奏信号を生成し、生成された演奏信号はアンプ（図示せず）によって増幅等されてスピーカ４７へ出力され、このスピーカ４７から演奏音が発音される。
【００２６】
なお、図１に例示するように、鍵盤蓋３７が開放位置にあるとき、蓋体３７ａの内面に配置された操作パネル３７ｂが鍵盤３９の上方に位置しているので、演奏者は操作パネル３７ｂの所定のスイッチ群を容易に操作できる。操作により発生した所定の信号が電子音源部４９へ送られ、発生する楽音のトーンやボリュームなどが調整される。
【００２７】
そして、演奏者によってグランド型電子ピアノ１の演奏が開始されると、電子音源部４９が演奏信号を生成するために消費される電力によって発熱し、電子音源部４９などに電力を供給する電源部５１も発熱する。棚板２１に設けられた挿通孔２１ａを挿通しピアノ本体２の外部（下方）へ突き出した電子音源部４９の一部から発生する熱は、ピアノ本体２の外部へ放出される。
【００２８】
しかし、ピアノ本体２の内部の電子音源部４９から発生した熱により温度上昇した空気と、電源部５１から発生した熱により温度上昇した空気は、ピアノ本体２の内部に上昇してピアノ本体２の内部に残ることになる。したがって、ピアノ本体２の内部は、電子音源部４９と電源部５１から発生した熱により温度上昇する。
【００２９】
ところで、演奏者がグランド型電子ピアノ１を演奏するときには、図１に例示するように、大屋根３１が所定の開放角度で開放した状態に保たれている場合と、図２に例示するように、大屋根３１が閉鎖した状態に保たれている場合がある。
【００３０】
そして、大屋根３１が開放した状態に保たれている場合には、図１に例示するように、電子音源部４９と電源部５１とから発生した熱により温度上昇した空気は、上昇して響板４５に設けられた通気孔４５ａを通り、開放されている大屋根３１からピアノ本体２の外部へ放出される。
【００３１】
一方、大屋根３１が閉鎖した状態に保たれている場合には、図４に例示するように、電子音源部４９と電源部５１（図１参照）とから発生した熱により温度上昇した空気は、上板２９の通気孔２９ａ（図３参照）からピアノ本体２の外部へ放出される。
【００３２】
グランド型電子ピアノ１の不使用時などに、鍵盤３９を覆うために鍵盤蓋３７を蝶番５３（図４参照）の回りに反時計方向に回動すると、鍵盤蓋３７は図３に示す覆い位置に至る。鍵盤蓋３７が図３に示す覆い位置にあるとき、蓋体３７ａの外面が上前板２７の前面と所定の鈍角を成し、蓋体３７ａの屈曲部の下面が口棒３５の上面に当接し、鍵盤蓋３７は水平状態に維持されている。
【００３３】
なお、本実施形態においては、電子音源部４９と電源部５１とが「発熱部」に相当し、上板２９に有する複数の通気孔２９ａが「上面部に設けられた開口部」に相当し、棚板２１に設けられた挿通孔２１ａと通気孔２１ｂとが「棚板に設けられた開口部」に相当する。
【００３４】
［効果の説明］
従来のグランド型電子ピアノにおいては、消費電力の大きな電子音源部を備えたグランド型電子ピアノが大屋根を閉じた状態で演奏されると、電子音源部等の発熱によってピアノ本体内の温度が上昇し、電子音源部等の電子回路に不具合が生じる可能性があった。なお、騒音が発生すると楽器として本来の機能を満たさなくなるため、強制冷却ファンを設置することができない。
【００３５】
それに対して、本実施形態のグランド型電子ピアノ１によれば、複数の通気孔２９ａを有する上板２９が上前板２７と大屋根３１との間に設けられ、電子音源部４９が挿通する挿通孔２１ａと電源部５１の下方に位置して通気孔２１ｂとが棚板２１に設けられているので、大屋根３１を閉じた状態で演奏されても電子音源部４９と電源部５１との発熱によるピアノ本体２の内部の温度上昇が抑えられ、電子音源部４９と電源部５１との電子回路に不具合が生じない。また、複数の通気孔２９ａを有する上板２９が電子音源部４９と電源部５１とによって発せられた熱をピアノ本体２の外部へ放出するので、冷却ファンなどの設置の必要がなく、騒音の発生がない。
【００３６】
また、本実施形態のグランド型電子ピアノ１によれば、鍵盤蓋３７は、鍵盤３９を開放する位置と閉鎖する位置との間で回動することによって、ピアノ本体２の内部へ収容されずに鍵盤を開放、閉鎖可能なので、ピアノ演奏するときに鍵盤蓋３７がピアノ本体２の内部に入り込み電子音源部４９と電源部５１とから複数の通気孔２９ａを有する上板２９との風道の障害物となることがない。したがって、大屋根３１を閉じた状態で演奏されても電子音源部４９と電源部５１との発熱によるピアノ本体２の内部の温度上昇が抑えられ、電子音源部４９と電源部５１との電子回路に不具合が生じない。
【００３７】
［他の実施形態］
以上、本発明の実施形態について説明したが、本発明は上記実施形態に限定されるものではなく、以下のような様々な態様にて実施することが可能である。
【００３８】
（１）他の実施形態（イ）
上記実施形態では、電子音源部４９と電源部５１とによって発せられた熱を単に上板２９に有する複数の通気孔２９ａからピアノ本体２の外部へ放出したが、図５に例示するように、電子音源部５９と電源部５１（図示せず）とから複数の通気孔２９ａを有する上板２９とを連通させるエアダクト６０を有するように構成してもよい。この電子音源部５９は、上記実施形態に比べてピアノ本体２の後方に設けられている場合を示している。この電子音源部５９は、略直方体の形状を有し、その一部が棚板２１に設けられた挿通孔２１ｃを挿通しピアノ本体２の外部（下方）へ突き出した状態で取付部材（図示せず）によって棚板２１へ取り付けられている。そして、電子音源部５９と電源部５１とから複数の通気孔２９ａを有する上板２９との風道に障害物がある場合にも、その障害物を回避してエアダクト６０を設置すればよい。
【００３９】
このように構成された実施形態においては、電子音源部５９と電源部５１とから複数の通気孔２９ａを有する上板２９とを連通させるエアダクト６０を有しているので、電子音源部５９と電源部５１とから複数の通気孔２９ａを有する上板２９との風道に障害物がある場合にも、電子音源部５９と電源部５１とによって発せられた熱をピアノ本体２の外部へ放出できる。すなわち、この障害物を回避してピアノ本体２の内部にダクトを設置すれば、電子音源部５９と電源部５１とによって発せられた熱をピアノ本体２の外部へ効率よく放出できる。特に、図５に例示するように、上記実施形態に比べてピアノ本体２の後方に電子音源部５９が設けられている場合には、電子音源部５９によって発せられた熱が拡散されないので、ピアノ本体２の他の内蔵物例えば響板４５やスピーカ４７などに対して熱による不具合を少なくできる。
【００４０】
なお、本実施形態においては、電子音源部５９が「発熱部」に相当し、棚板２１に設けられた挿通孔２１ｃが「棚板に設けられた開口部」相当し、エアダクト６０が「ダクト」に相当する。
【００４１】
（２）他の実施形態（ロ）
上記実施形態では、電子音源部４９と電源部５１とに対する上板２９の位置関係については特に限定しなかったが、図６に例示するように、電子音源部６９と電源部５１（図示せず）とは、上板２９の略鉛直方向に配置され、且つ電子音源部６９と電源部５１によって発せられた熱により上昇した空気が上板２９へ遮られずに上昇するように設けられる構成としてもよい。この場合の電子音源部６９は、図６に例示するように電子音源部４９よりも小型化されている。よって、この電子音源部６９は上記実施形態に比べてピアノ本体２の前方に設けられている。この電子音源部６９は、略直方体の形状を有し、棚板２１の上面へ取付部材（図示せず）によって取り付けられており、電子音源部６９の下方に位置する棚板２１には通気孔２１ｄが設けられている。
【００４２】
このように構成されたグランド型電子ピアノによれば、電子音源部６９と電源部５１とは、上板２９の略鉛直方向にであって、電子音源部６９と電源部５１によって発せられた熱により上昇した空気が上板２９へ遮られずに上昇するように設けられているので、ピアノ本体２の内部の空気を効率よく放出できる。すなわち、電子音源部６９と電源部５１とによって発せられた熱により温度上昇したピアノ本体２の内部の空気が膨張により密度が小さくなって略鉛直方向の上方にある上板２９へ上昇し、ピアノ本体２の内部の空気を効率よく放出できる。
【００４３】
なお、本実施形態においては、電子音源部６９が「発熱部」に相当し、棚板２１に設けられた通気孔２１ｄが「棚板に設けられた開口部」に相当する。
【図面の簡単な説明】
【００４４】
【図１】本実施形態のグランド型電子ピアノ１において大屋根３１と鍵盤蓋３７とが開放されている状態を示す斜視図である。
【図２】図１のグランド型電子ピアノ１において大屋根３１が閉鎖され、鍵盤蓋３７が開放されている状態を示す斜視図である。
【図３】図１のグランド型電子ピアノ１において大屋根３１と鍵盤蓋３７とが閉鎖されている状態を示す斜視図である。
【図４】図１のグランド型電子ピアノ１において大屋根３１が閉鎖され、鍵盤蓋３７が開放されている状態を示す部分破断側面図である。
【図５】他の実施形態（イ）のグランド型電子ピアノにおいて大屋根３１が閉鎖され、鍵盤蓋３７が開放されている状態を示す部分破断側面図である。
【図６】他の実施形態（ロ）のグランド型電子ピアノにおいて大屋根３１が閉鎖され、鍵盤蓋３７が開放されている状態を示す部分破断側面図である。
【符号の説明】
【００４５】
１…グランド型電子ピアノ、２…ピアノ本体、６…脚、８…ペダルユニット、２１…棚板、２１ａ，２１ｃ…挿通孔、２１ｂ，２１ｄ…通気孔、２３…側板、２５…フレーム、２７…上前板、２９…上板、２９ａ…通気孔、３０…上板支持部材、３１…大屋根、３３…突き上げ棒、３５…口棒、３７…鍵盤蓋、３７ａ…蓋体、３７ｂ…操作パネル、３９…鍵盤、４１…鍵盤、４３…拍子木、４５…響板、４５ａ…通気孔、４７…スピーカ、４９，５９，６９…電子音源部、５１…電源部、５３…蝶番、６０…エアアダクト。
【図１】
0004526496.tif 000002
【図２】
0004526496.tif 000003
【図３】
0004526496.tif 000004
【図４】
0004526496.tif 000005
【図５】
0004526496.tif 000006
【図６】
0004526496.tif 000007